(57)【要約】【課題】灰処理装置としてチエンコンベア付き水タンクを使用したものにおいて、従来では、水タンク内のプーリーを取り替えるのに水タンク内の水を抜く必要があり、プーリー取り替え中はボイラの運転を停止させる必要があった。【解決手段】水タンク内のプーリーユニットの脱着装置として、水タンク側壁１５の外面を水密的に囲うことができる仮設タンク４と、仮設タンク４のガイド筒４６Ａに挿通した状態で水タンク側壁１５側の雌ネジ１７に螺合可能でプーリーユニット３の軸受ボス３４を押える押え部６３を有する少なくとも２本の固定棒６と、仮設タンク４のガイド筒４６Ｂに挿通した状態で水タンク側壁１５側の雌ネジ１７に螺合可能な少なくとも２本のガイド棒７とを備え、仮設タンク４を水タンク側壁１５外面における軸受ボス３４を囲う位置に取付け、固定棒６及びガイド棒７を用いることで、水タンク１内の水を抜かずにプーリーユニット３を取り替え得るようにした。【選択図】　　　図３
2004131251.tif 000002
【特許請求の範囲】
【請求項１】
水タンク（１）内の底部付近と水タンク（１）外に跨がって張設したチエンコンベア（２）の左右各チエン（２１）を水タンク（１）内において水タンクの対向側壁（１５）にそれぞれ片持ち式に取付けたプーリーユニット（３）の各プーリー（３１）に巻掛けたチエンコンベア（２）であって、プーリーユニット（３）は、プーリー（３１）と該プーリー（３１）を支持する軸受ボス（３４）とを有し、各プーリー（３１）を水タンク側壁（１５）に形成したプーリー挿通穴（１６）を通して水タンク側壁（１５）の外側から水タンク（１）内に挿入した状態で軸受ボス（３４）の周囲を水タンク側壁（１５）の外面に対して少なくとも８本以上のボルト（３０）で締着して取付けているとともに、該全ボルト（３０）を取外すことによってプーリーユニット（３）を水タンク側壁（１５）から外方に離脱させ得るようにした取付構造のプーリーユニットの脱着装置であって、
水タンク側壁（１５）の外面における軸受ボス（３４）の外側を水密的に囲うことができ、且つ軸受ボス（３４）に対面する後壁（４５）における軸受ボス締着用のボルト（３０）に対応し周方向に間隔をもった少なくとも４位置にそれぞれガイド筒（４６Ａ，４６Ｂ）を形成した仮設タンク（４）と、
仮設タンク（４）のガイド筒（４６Ａ）に水密的に通すことができ、先端部に軸受ボス締着用のボルト（３０）に代えて水タンク側壁（１５）側の雌ネジ（１７）に螺合可能な雄ネジ（６１）を有し、且つ軸受ボス（３４）を押え得る押え部（６３）を有する少なくとも２本の固定棒（６）と、
仮設タンク（４）のガイド筒（４６Ｂ）に水密的に通すことができ、先端部に軸受ボス締着用のボルト（３０）に代えて水タンク側壁（１５）側の雌ネジ（１７）に螺合可能な雄ネジ（７１）を有し、軸受ボス（３４）のボルト挿通穴（３６）に対して遊嵌状態で挿通される少なくとも２本のガイド棒（７）、
とを備えたことを特徴とする水タンク内のチエンコンベアにおけるプーリーユニットの脱着装置。
【請求項２】
請求項１において、
軸受ボス（３４）の外面側中心部に雌ネジ（３７）を形成したプーリーユニット（３）を使用し、
仮設タンク（４）の後壁（４５）における軸受ボス（３４）の中心雌ネジ（３７）に対応する位置にガイド筒（４６Ｃ）を形成するとともに、
該ガイド筒（４６Ｃ）に水密的に通すことができ、且つ先端部に中心雌ネジ（３７）に螺合可能な雄ネジ（８１）を有する引抜き棒（８）を備えた、
ことを特徴とする水タンク内のチエンコンベアにおけるプーリーユニットの脱着装置。
【請求項３】
請求項１又は２において、
仮設タンク（４）内を水密的に前後２室（４Ａ，４Ｂ）に仕切る着脱自在な仕切板（５）を備えた、
ことを特徴とする水タンク内のチエンコンベアにおけるプーリーユニットの脱着装置。
【請求項４】
水タンク（１）内の底部付近と水タンク（１）外に跨がって張設したチエンコンベア（２）の左右各チエン（２１）を水タンク（１）内において水タンクの対向側壁（１５）にそれぞれ片持ち式に取付けたプーリーユニット（３）の各プーリー（３１）に巻掛けたチエンコンベア（２）であって、プーリーユニット（３）は、プーリー（３１）と該プーリー（３１）を支持する軸受ボス（３４）とを有し、各プーリー（３１）を水タンク側壁（１５）に形成したプーリー挿通穴（１６）を通して水タンク側壁（１５）の外側から水タンク（１）内に挿入した状態で軸受ボス（３４）の周囲を水タンク側壁（１５）の外面に対して少なくとも８本以上のボルト（３０）で締着して取付けているとともに、該全ボルト（３０）を取外すことによってプーリーユニット（３）を水タンク側壁（１５）から外方に離脱させ得るようにしたプーリーユニットの取付構造において、
水タンク側壁（１５）の外面における軸受ボス（３４）の外側を水密的に囲うことができ、且つ軸受ボス（３４）に対面する後壁（４５）における軸受ボス締着用のボルト（３０）に対応し且つ周方向に間隔をもった少なくとも４位置にそれぞれガイド筒（４６Ａ，４６Ｂ）を形成した仮設タンク（４）と、仮設タンク（４）のガイド筒（４６Ａ）に水密的に通すことができ、先端部に軸受ボス締着用のボルト（３０）に代えて水タンク側壁（１５）側の雌ネジ（１７）に螺合可能な雄ネジ（６１）を有し、且つ軸受ボス（３４）を押え得る押え部（６３）を有する少なくとも２本の固定棒（６）と、仮設タンク（４）のガイド筒（４６Ｂ）に水密的に通すことができ、先端部に軸受ボス締着用のボルト（３０）に代えて水タンク側壁（１５）側の雌ネジ（１７）に螺合可能な雄ネジ（７１）を有し、軸受ボス（３４）のボルト挿通穴（３６）に対して遊嵌状態で挿通される少なくとも２本のガイド棒（７）とを使用し、
軸受ボス（３４）を締着している各ボルト（３０）のうち、複数本を残して固定棒用ガイド筒（４６Ａ）に対応する少なくとも２本以上のボルト（３０）を外す工程と、
水タンク側壁（１５）の外面における軸受ボス（３４）の外側を仮設タンク（４）で水密的に囲う工程と、
各固定棒（６）を仮設タンク（４）のガイド筒（４６Ａ）に通した状態で、固定棒先端部の雄ネジ（６１）を軸受ボス（３４）におけるボルト（３０）を外したボルト挿通穴（３６）に通して水タンク側壁（１５）の雌ネジ（１７）に螺合・緊締させて押え部（６３）で軸受ボス（３４）を水タンク側壁（１５）の外面に押し付ける工程と、
仮設タンク（４）内から軸受ボス（３４）を締着している残りの全ボルト（３０）を取外す工程と、
各ガイド棒（７）を仮設タンク（４）のガイド棒用ガイド筒（４６Ｂ）に通した状態で、ガイド棒先端部の雄ネジ（７１）を軸受ボス（３４）におけるボルト（３０）を外したボルト挿通穴（３６）に通して水タンク側壁（１５）の各雌ネジ（１７）に螺合させる工程と、
仮設タンク（４）の外側から各固定棒（６）の雄ネジ（６１）を螺解して該各固定棒（６）を後退させる工程と、
プーリーユニット（３）を各ガイド棒（７）に沿って後退させて該プーリーユニット（３）を仮設タンク（４）内に引き抜く工程と、
プーリーユニット（３）を支持した状態で、仮設タンク（４）の外側から各ガイド棒（７）の雄ネジ（７１）を螺解して各ガイド棒（７）を軸受ボス（３４）のボルト挿通穴（３６）から抜き外す工程と、
プーリーユニット（３）を仮設タンク（４）内の水中から上方に取り出す工程と、
修理済又は新品の新プーリーユニット（３）を上方から仮設タンク（４）内の水中に挿入する工程と、
各ガイド棒（７）を仮設タンク（４）のガイド棒用ガイド筒（４６Ｂ）に通した状態で、仮設タンク（４）の外側から各ガイド棒（７）を軸受ボス（３４）のボルト挿通穴（３６）に通して該ガイド棒（７）の雄ネジ（７１）を水タンク側壁（１５）の各雌ネジ（１７）に螺合させる工程と、
新プーリーユニット（３）を各ガイド棒（７）に沿って前進させてプーリー（３１）をプーリー挿通穴（１６）から水タンク（１）内に進入させるとともに軸受ボス（３４）をプーリー挿通穴（１６）の口縁外面に押し当てる工程と、
仮設タンク（４）の外側から各固定棒（６）の雄ネジ（６１）を軸受ボス（３４）のボルト挿通穴（３６）に通して水タンク側壁（１５）の雌ネジ（１７）に螺合・緊締させて押え部（６３）で軸受ボス（３４）を水タンク側壁（１５）の外面に押し付けて、軸受ボス（３４）で水タンク（１）内と仮設タンク（４）内とを遮断する工程と、
仮設タンク（４）内の水を排出する工程と、
仮設タンク（４）内から軸受ボス（３４）の空の各ボルト挿通穴（３６）にそれぞれボルト（３０）を挿通させて、該各ボルト（３０）を水タンク側壁（１５）側の雌ネジ（１７）に螺合・緊締させる工程と、
各固定棒（６）の雄ネジ（６１）及び各ガイド棒（７）の雄ネジ（７１）をそれぞれ水タンク側壁（１５）側の雌ネジ（１７）から螺解させる工程と、
仮設タンク（４）を水タンク側壁（１５）から外す工程と、
軸受ボス（３４）における残りのボルト挿通穴（３６）にそれぞれボルト（３０）を挿通させて該各ボルト（３０）を水タンク側壁（１５）側の雌ネジ（１７）に螺合・緊締させる工程、
とを順次行うことを特徴とする水タンク内のチエンコンベアにおけるプーリーユニットの脱着方法。
【請求項５】
請求項４において、
軸受ボス（３４）の外面側中心部に中心雌ネジ（３７）を形成したプーリーユニット（３）と、仮設タンク（４）の後壁（４５）における軸受ボス（３４）の中心雌ネジ（３７）に対応する位置に形成したガイド筒（４６Ｃ）に水密的に通すことができ且つ先端部に中心雌ネジ（３７）に螺合可能な雄ネジ（８１）を有する引抜き棒（８）とを使用し、
旧・新の各プーリーユニット（３）の脱着時に、仮設タンク（４）の外側から引抜き棒用ガイド筒（４６Ｃ）を通して引抜き棒（８）を差込み、該引抜き棒（８）の雄ネジ（８１）を軸受ボス（３４）の中心雌ネジ（３７）に螺合して、該引抜き棒（８）で仮設タンク（４）の外側からプーリーユニット（３）をガイド棒（７）に沿って前後移動させるようにした、
ことを特徴とする水タンク内のチエンコンベアにおけるプーリーユニットの脱着方法。
【請求項６】
請求項４又は５において、
仮設タンク（４）内を水密的に前後２室（４Ａ，４Ｂ）に仕切る着脱自在な仕切板（５）を使用し、
仮設タンク（４）内に新プーリーユニット（３）を挿入する前に、仮設タンク（４）内に仕切板（５）を挿入して仮設タンク（４）内を前室（４Ａ）と後室（４Ｂ）とに区画し、仮設タンク（４）の後室（４Ｂ）の水を排出し、空の後室（４Ｂ）内にプーリーユニット（３）を吊下げ状態で挿入し、各ガイド棒（７）を軸受ボス（３４）の所定のボルト挿通穴（３６）に挿通させ、仕切板（５）を仮設タンク（４）から抜き外し、各ガイド棒（７）の雄ネジ（７１）を水タンク側壁（１５）側の雌ネジ（１７）に螺合させた後、以降の各工程を行う、
ことを特徴とする水タンク内のチエンコンベアにおけるプーリーユニットの脱着方法。
【発明の詳細な説明】
【０００１】
【発明の属する技術分野】
本願発明は、例えば石炭焚ボイラの灰処理装置として使用されている水タンク内のチエンコンベアにおけるプーリーユニットの脱着装置及び脱着方法に関するものである。
【０００２】
【従来の技術】
火力発電所では、発電用に石炭焚ボイラが使用されているが、燃料炭を燃焼させた後の高温のクリンカー（灰）は、ボイラの火炉下部に設けたシュート（水封シュート）を通して水タンク内に排出されて水タンク内の水で冷却され、水タンク底部に沈降する。又、水タンク内の底部付近には、順次沈降してくるクリンカーを水タンク外に搬送するチエンコンベア（一般にスクレーパ式のものが多い）を設けており、シュートから排出され水タンク底部に沈降するクリンカーをチエンコンベアで連続して水タンク外に排出するようになっている。尚、水タンク内には、常時冷却水が注入されるとともに、一定水位を超える水はオーバーフローせしめられる。
【０００３】
この種の石炭焚ボイラのクリンカー（灰）処理装置としては、例えば特開平１０−３３２１２９号公報（特許文献１）に示されるものがある。即ち、この特許文献１の灰処理装置は、水タンク内の底部付近と水タンク外に跨がってチエンコンベアを設けているが、該チエンコンベアの左右のチエンは水タンク内の水中に設けたプーリーにも巻掛けている。尚、水タンク内に設置されるプーリーは、水タンク側壁に片持ち支持されたものがある。
【０００４】
ところで、この種の発電用石炭焚ボイラは、年間を通じて無停止で連続運転され、従って灰処理装置（チエンコンベア）も連続運転されるが、チエンコンベアのプーリーは、摩耗したり、プーリーとチエン間に異物のかみ込み等により、損傷することがある。その場合、損傷したプーリーは、チエンコンベアを停止させて取外し、修理したり新品に取り替える必要がある。
【０００５】
【特許文献１】
特開平１０−３３２１２９号公報
【０００６】
【発明が解決しようとする課題】
ところが、この種の灰処理装置のチエンコンベアにおけるプーリーの取り替えは、水タンク外にある気中プーリーでは比較的容易に且つ短時間で取り替え可能であるが、水タンク内にある水中プーリーを取り替える場合は、従来では水タンク内の水を抜く必要があり、プーリー取り替え作業が大掛かりとなるとともに長時間を要するという問題があった。
【０００７】
又、このようにプーリー取り替えのために水タンク内の水を抜くと、ボイラ側の火炉（シュート）からの高温クリンカーを排出することができず、結果的にボイラの運転も長時間停止させる必要がある。従って、ボイラの運転効率が悪くなるとともに、ボイラ停止（火炉が冷める）・再起動による熱損失が大きくなるという問題もあった。
【０００８】
本願発明は、上記した従来の問題点に鑑み、水タンク内の水中プーリーであっても、水タンク内の水を抜くことなしに（石炭焚ボイラを継続運転したままで）水中プーリーの取り替えを行えるようにした、水タンク内のチエンコンベアにおけるプーリーユニットの脱着装置及びその脱着方法を提供することを目的としている。
【０００９】
【課題を解決するための手段】
本願発明は、上記課題を解決するための手段として次の構成を有している。
【００１０】
本願請求項１の発明
本願請求項１の発明は、水タンク内のチエンコンベアにおけるプーリーユニットの脱着装置を対象にしたものである。尚、水タンク内には、石炭焚ボイラの火炉からの高温クリンカーがシュート（水封シュート）を通して順次排出され、該高温クリンカーが水タンク内の水で冷却されて、水タンク底部に沈降する。
【００１１】
水タンクには、水タンク内の底部付近と水タンク外に跨がってチエンコンベアが張設されている。チエンコンベアは、左右各チエンを水タンク内外においてプーリーに巻掛けして構成している。
【００１２】
チエンコンベアにおける水タンク内の水中プーリーは、軸受ボスに一体的に支持されたプーリーユニットの状態で水タンクの対向側壁にそれぞれ片持ち式に取付けている。
【００１３】
水タンク内の水中に設置される各プーリーユニットは、プーリーを水タンク側壁に形成したプーリー挿通穴を通して水タンク側壁の外側から水タンク内に挿入した状態で軸受ボスの周囲を水タンク側壁の外面に対して少なくとも８本以上のボルトで締着して取付けている。尚、水タンク側壁のプーリー挿通穴は、プーリーユニット（軸受ボス）を取付けている状態では水密状態で閉塞されている。
【００１４】
軸受ボスを締着しているボルトの本数は、８本〜１６本程度が一般的であり、該各ボルトは軸受ボスのフランジを等角度間隔をもって締着している。尚、軸受ボスのフランジには、各ボルトがそれぞれ挿通されるボルト挿通穴が形成されており、他方、水タンク側壁の外面には、各ボルトをそれぞれ螺合させる雌ネジが形成されている。
【００１５】
又、このプーリーユニットは、軸受ボスを締着している全ボルトを取外すことによって水タンク側壁から外方に離脱させ得るように取付けられている。尚、プーリーユニットを水タンク側壁から取外すと、水タンク内の水がプーリー挿通穴を通って水タンク外に流出するが、本願は水タンク内の水を一定水位に保った状態でプーリーユニットの取り替えを行い得るようにするものである。
【００１６】
そして、本願請求項１のプーリーユニットの脱着装置は、水タンク側壁の外面における軸受ボスの外側を水密的に囲うことができる仮設タンクと、先端部に軸受ボス締着用のボルトに代えて水タンク側壁側の雌ネジに螺合可能な雄ネジを有し、且つ軸受ボスを押え得る押え部を有する少なくとも２本の固定棒と、先端部に軸受ボス締着用のボルトに代えて水タンク側壁側の雌ネジに螺合可能な雄ネジを有し、軸受ボスのボルト挿通穴に対して遊嵌状態で挿通される少なくとも２本のガイド棒とを有して構成されている。
【００１７】
仮設タンクは、前面と上面がそれぞれ開放され、且つ上方から手を差込み得る容積を有している。又、この仮設タンクは、水タンク側壁の外面に取付けた状態で、水タンク内の水位より高くなる高さを有している。
【００１８】
この仮設タンクにおける軸受ボスに対面する後壁には、軸受ボス締着用の各ボルトに対応し且つ周方向に間隔をもった少なくとも４位置に、上記各固定棒及び上記各ガイド棒をそれぞれ水密的に挿通させ得るガイド筒（固定棒用ガイド筒、ガイド棒用ガイド筒）を形成している。尚、この各ガイド筒は、適宜長さを有する筒状のものが好ましく、且つ該各ガイド筒の内面には固定棒又はガイド棒に対して水密保持させる環状のシール材を取付けている。
【００１９】
この請求項１のプーリーユニットの脱着装置は、後述する請求項４の発明の脱着方法を行い得るもので、この脱着装置の使用方法の詳細は請求項４の説明を援用する。
【００２０】
本願請求項２の発明
本願請求項２の発明は、上記請求項１のプーリーユニットの脱着装置において、軸受ボスの外面側中心部に雌ネジを形成したプーリーユニットを使用し、仮設タンクの後壁における軸受ボスの中心雌ネジに対応する位置にガイド筒を形成するとともに、該ガイド筒に水密的に通すことができ、且つ先端部に中心雌ネジに螺合可能な雄ネジを有する引抜き棒を備えている。
【００２１】
この請求項２のプーリーユニットの脱着装置は、後述する請求項５の発明の脱着方法を行い得るもので、この請求項２の脱着装置の使用方法の詳細は請求項５の説明を援用する。
【００２２】
本願請求項３の発明
本願請求項３の発明は、上記請求項１又は２のプーリーユニットの脱着装置において、仮設タンク内を水密的に前後２室に仕切る着脱自在な仕切板を備えている。
【００２３】
この請求項３のプーリーユニットの脱着装置は、後述する請求項６の発明の脱着方法を行い得るもので、この請求項３の脱着装置の使用方法の詳細は請求項６の説明を援用する。
【００２４】
本願請求項４の発明
本願請求項４の発明は、水タンク内のチエンコンベアにおけるプーリーユニットの脱着方法を対象にしたものである。プーリーユニットは、そのプーリーを水タンク側壁に形成したプーリー挿通穴を通して水タンク側壁の外側から水タンク内に挿入した状態で軸受ボスの周囲を水タンク側壁の外面に対して少なくとも８本以上のボルトで締着して取付けている。尚、水タンク内の水は、高温クリンカーによって加熱されてかなりの高温（例えば６０℃以上）の熱水となっており、その熱水に手を触れることができない。
【００２５】
そして、この請求項４のプーリーユニットの脱着方法は、上記請求項１の脱着装置を使用し、以下の各工程を順次行ってプーリーユニットを脱着させるものである。
【００２６】
まず、軸受ボスを締着している各ボルトのうち、複数本を残して固定棒用ガイド筒に対応する少なくとも２本以上のボルトを外す。このとき、残ったボルトで軸受ボスをプーリー挿通穴の口縁に対して水密保持させている。尚、このボルト取外し作業時に、ガイド棒用ガイド筒に対応する各ボルトも同時に取外すようにしてもよい。
【００２７】
次に、水タンク側壁の外面における軸受ボスの外側を仮設タンクで水密的に囲う。尚、仮設タンクは、水タンク側壁の外面に対してボルトで取付けられるが、仮設タンクの前面と水タンク側壁外面との間にはパッキンが介在されて水密状態が維持される。
【００２８】
次に、各固定棒（２〜４本）を仮設タンクの各固定棒用ガイド筒に通した状態で、固定棒先端部の雄ネジを軸受ボスにおけるボルトを外したボルト挿通穴に通して水タンク側壁の雌ネジに螺合・緊締させて押え部で軸受ボスを水タンク側壁の外面に押し付ける。
【００２９】
次に、仮設タンク内から軸受ボスを締着している残りの全ボルトを取外す。このとき、軸受ボスは、各固定棒の押え部で水タンク側壁外面に押し付けられているので、残りのボルトを取外してもプーリー挿通穴からの水漏れは起こらない。従って、ボルト取外し作業中に仮設タンク内において熱水接触による火傷の危険はない。
【００３０】
次に、各ガイド棒（２〜４本）を仮設タンクの各ガイド棒用ガイド筒に通した状態で、ガイド棒先端部の雄ネジを軸受ボスにおけるボルトを外したボルト挿通穴に通して水タンク側壁の各雌ネジに螺合させる。
【００３１】
尚、最初のボルト取外し時に、固定棒用ガイド筒に対応するボルトとガイド棒用ガイド筒に対応するボルトを取外した場合には、各固定棒の設置作業が終えた後、残りのボルト取外し作業と各ガイド棒の設置作業とは、順序が逆になってもよいが、ガイド棒を設置する前に残りのボルトを取外す方がボルト取外し作業がし易い。又、各固定棒及び各ガイド棒の設置作業時には、仮設タンク内が空の状態であり、固定棒及びガイド棒の各先端部（雄ネジ）を位置合わせする際に、仮設タンク内に手を差し込んで且つ目視しながら行える。又、各固定棒及び各ガイド棒の螺合操作は、仮設タンクの後壁の外面から行うが、先端部雄ネジのの位置合わせ用と各棒の回動操作用の２人１組で行うとその螺合操作が簡単になる。この状態では、各固定棒及び各ガイド棒は、仮設タンク内において水タンク側壁の雌ネジと仮設タンク後壁のガイド筒に跨がって設置されている。
【００３２】
この請求項４の脱着方法では、このときプーリーユニット（軸受ボス）に前後移動操作用の操作具を取付けておき、後で仮設タンクの上方からプーリーユニットを後方移動させ得るようにしておくとよい。
【００３３】
次に、仮設タンクの外側から各固定棒の雄ネジを螺解して該各固定棒を後退させる。このとき、軸受ボスに対する締付力はすべて解除され、プーリーユニットが各ガイド棒に沿って前後移動し得るようになる。又、この状態では、プーリーユニットが水タンク内の水圧に押れてプーリー挿通穴が開放され、水タンク内の水（熱水）がプーリー挿通穴から流出するが、その流出水は仮設タンク内に貯留される。尚、仮設タンク内に水タンク側の水が流入すると、水タンク内の水量が一時的に減少するが、水タンク内には常時冷却水が供給されているので、水タンク内の水位はごく短時間でオーバーフロー水位に達する。
【００３４】
次に、プーリーユニットを各ガイド棒に沿って後退させて該プーリーユニットを仮設タンク内に引き抜く。この場合、予め前後移動操作用の操作具を軸受ボスの適所に取付けておけば、該操作具で仮設タンクの上方からプーリーユニットの引き抜き操作が行える。又、前後移動操作用の操作具を予め軸受ボスに取付けていない場合は、適宜の引っ掛け具で仮設タンクの上方から軸受ボスを引っ掛けて、該プーリーユニットをガイド棒に沿って後退移動させることもできる。
【００３５】
次に、プーリーユニットを支持した状態で、仮設タンクの外側から各ガイド棒の雄ネジを螺解して各ガイド棒を軸受ボスのボルト挿通穴から抜き外す。このとき、プーリーユニットは、適宜の吊下げ具で仮設タンクの上方から吊下げ支持しておく。
【００３６】
次に、プーリーユニットを仮設タンク内の水中から上方に取り出す。尚、取り出した旧プーリーユニットは、簡単に修理可能であればその場で修理して再使用するが、修理に時間がかかったりあるいは修理不能であれば、新品のプーリーユニットに取り替える。
【００３７】
次に、修理済又は新品の新プーリーユニットを上方から仮設タンク内の水中に挿入する。この場合も、適宜の吊下げ具を用いてプーリーユニットを吊下げ支持する。
【００３８】
次に、各ガイド棒を仮設タンクのガイド棒用ガイド筒に通した状態で、仮設タンクの外側から各ガイド棒を軸受ボスのボルト挿通穴に通して該ガイド棒の雄ネジを水タンク側壁の各雌ネジに螺合させる。この状態では、軸受ボスの複数個（２〜４個）のボルト挿通穴にそれぞれガイド棒が挿通されているので、プーリーユニットが安定姿勢で支持されている。
【００３９】
次に、新プーリーユニットを各ガイド棒に沿って前進させてプーリーをプーリー挿通穴から水タンク内に進入させるとともに軸受ボスをプーリー挿通穴の口縁外面に押し当てる。この場合のプーリーユニットの前進移動は、適宜の操作具で行うことができる。又、プーリー挿通穴から水タンク内に挿入させたプーリーには、チエンコンベアのチエンを巻掛ける必要があるが、プーリーユニットを前進させる前にチエンを押え具でプーリー下面より下方位置に押し下げておき、プーリーが所定位置まで進入した時点でチエンに対する押し下げ力を解除することで、該チエンをプーリーに巻掛けることができる。尚、チエンのプーリーに対する巻掛け操作は、後述するようにプーリーユニットの軸受ボスをプーリー挿通穴の口縁部に固定した後に行うとよい。
【００４０】
次に、仮設タンクの外側から各固定棒の雄ネジを軸受ボスのボルト挿通穴に通して水タンク側壁の雌ネジに螺合・緊締させて押え部で軸受ボスを水タンク側壁の外面に押し付けて、軸受ボスで水タンク内と仮設タンク内とを遮断する。尚、この状態では、軸受ボスが水タンク側壁のプーリー挿通穴の口縁外面を水密的に閉塞しており、水タンク内と仮設タンク内とが遮断されている。
【００４１】
次に、仮設タンク内の水を排出する。この場合、仮設タンクの底部にバルブ付きの水抜き穴を設けておき、該バルブを開放させることにより水抜き穴から排水させるようにするとよい。尚、仮設タンクに水抜き穴を設けないものでは、仮設タンク内の水を上方からポンプで吸引排出させることも可能である。
【００４２】
次に、仮設タンク（空になっている）内から軸受ボスの空の各ボルト挿通穴にそれぞれボルトを挿通させて、該各ボルトを水タンク側壁側の雌ネジに螺合・緊締させる。
【００４３】
次に、各固定棒の雄ネジ及び各ガイド棒の雄ネジをそれぞれ水タンク側壁側の雌ネジから螺解させる。
【００４４】
次に、仮設タンク取付け用のボルトを外して、仮設タンクを水タンク側壁から取外す。
【００４５】
そして最後に、軸受ボスにおける残りのボルト挿通穴にそれぞれボルトを挿通させて該各ボルトを水タンク側壁側の雌ネジに螺合・緊締させる。
【００４６】
尚、上記した仮設タンクの水を排出した後のボルト締め工程、ガイド棒螺解工程、仮設タンク取外し工程等は、順序を変更することも可能である。
【００４７】
このように、本願請求項４のプーリーユニットの脱着方法では、プーリーユニットを取り替える際に水タンク内の水を抜くことなしに行え、従って石炭焚ボイラを継続運転したままでプーリーユニットの取り替えができる。尚、プーリーユニットの取り替え中は、チエンコンベアが停止しているので、ボイラ側のシュートから排出されるクリンカーは順次水タンク底部に堆積されるが、水タンク内にはかなりの量のクリンカーを貯留でき、プーリーユニットの取り替えに要する時間が例えば２時間程度以内であれば、ボイラを継続運転させても何ら差し支えがない。又、このプーリーユニットの脱着方法によれば、仮設タンク内に水が入っている状態では、各作業を仮設タンクの外部から行え、仮設タンク内の水（熱水）に手が触れることなくプーリーユニットの取り替えが行える。
【００４８】
本願請求項５の発明
本願請求項５の発明は、上記請求項４のプーリーユニットの脱着方法において、上記請求項２のプーリーユニットの脱着装置を使用して行うものである。即ち、この請求項５のプーリーユニットの脱着方法では、軸受ボスの外面側中心部に中心雌ネジを形成したプーリーユニットと、仮設タンクの後壁における軸受ボスの中心雌ネジに対応する位置に形成したガイド筒に水密的に通すことができ且つ先端部に中心雌ネジに螺合可能な雄ネジを有する引抜き棒とを使用する。
【００４９】
そして、この請求項５の発明では、上記請求項４のプーリーユニットの脱着方法において、旧・新の各プーリーユニットの脱着時に、仮設タンクの外側から引抜き棒用ガイド筒を通して引抜き棒を差込み、該引抜き棒の雄ネジを軸受ボスの中心雌ネジに螺合して、該引抜き棒で仮設タンクの外側からプーリーユニットをガイド棒に沿って前後移動させ得るようにする。
【００５０】
この請求項５の脱着方法では、プーリーユニットを各ガイド棒に沿って前後移動させる際に、該プーリーユニットを引抜き棒によりガイド棒と平行方向に移動させ得る。
【００５１】
本願請求項６の発明
本願請求項６の発明は、上記請求項４又は５のプーリーユニットの脱着方法において、上記請求項３のプーリーユニットの脱着装置を使用して行うものである。即ち、この請求項６のプーリーユニットの脱着方法では、仮設タンク内を水密的に前後２室に仕切る着脱自在な仕切板を使用する。
【００５２】
そして、この請求項６の発明では、上記請求項４又は５のプーリーユニットの脱着方法において、仮設タンク内に新プーリーユニットを挿入する前に、仮設タンク内に仕切板を挿入して仮設タンク内を前室と後室とに区画する工程と、仮設タンクの後室の水を排出する工程と、空の後室内にプーリーユニットを吊下げ状態で挿入する工程と、各ガイド棒を軸受ボスの所定のボルト挿通穴に挿通させる工程と、仕切板を仮設タンクから抜き外す工程と、各ガイド棒の雄ネジを水タンク側壁側の雌ネジに螺合させる工程を行った後、以降の各工程を行う。
【００５３】
この請求項６の脱着方法では、新プーリーユニットを仮設タンク内に挿入する際に、仕切板で区画された空の後室内に収容でき、各ガイド棒を軸受ボスのボルト挿通穴に通す作業を空気中で行える。尚、上記請求項４のように、仮設タンク内に流入している水中でガイド棒を軸受ボスのボルト挿通穴に通す場合には、水の透明度が悪いためにガイド棒先端部をボルト挿通穴に対して勘で位置合わせする必要がある（手を熱水中に浸けることができない）が、空の仮設タンク（後室）内では、ガイド棒先端部及びボルト挿通穴の位置がよく見え、且つ手を添えて位置合わせさせることができる。
【００５４】
【発明の効果】
本願各発明のプーリーユニットの脱着装置及びその脱着方法は、それぞれ次のような効果がある。
【００５５】
本願請求項１及び４の効果
本願請求項１（脱着装置）及び本願請求項４（脱着方法）の各発明では、プーリーユニットを取り替える際に、水タンク内の水を抜くことなしに行えるので、プーリーユニット取り替え作業が簡単且つ短時間で行えるという効果がある。又、水タンク内に水が入ったままでプーリーユニットの取り替えができるので、石炭焚ボイラを継続運転したままで行え、従ってプーリーユニットの取り替え時に、石炭焚ボイラの運転効率が低下しないとともに、ボイラ停止・再起動による熱損失が発生しないという効果もある。尚、仮設タンクに水（熱水）が入っている状態では、各作業を仮設タンクの外部から行え、仮設タンク内の水（熱水）に手が触れることなくプーリーユニットの取り替えが行える。
【００５６】
本願請求項２及び５の効果
本願請求項２及び５の各発明では、プーリーユニットを各ガイド棒に沿って前後移動させる際に、該プーリーユニットを引抜き棒によりガイド棒と平行方向に移動させることができる。従って、この請求項２及び５の各発明では、請求項１及び４の効果に加えて、プーリーユニットをスムーズに且つ簡単に前後移動させることができるという効果がある。
【００５７】
本願請求項３及び６の効果
本願請求項３及び６の発明では、仮設タンク内を水密的に前後２室に仕切る着脱自在な仕切板を使用しているので、新プーリーユニットを仮設タンク内に挿入する際に、仕切板で区画された空の後室内に収容でき、各ガイド棒を軸受ボスのボルト挿通穴に通す作業を空気中で行える。従って、この請求項３及び６の各発明では、請求項２及び５の効果に加えて、ガイド棒先端部及びボルト挿通穴の位置がよく見え、且つ手を添えて位置合わせさせることができるので、該ガイド棒のボルト挿通穴に対する挿通作業が容易となるという効果がある。
【００５８】
【発明の実施の形態】
以下、図１〜図２０を参照して本願実施形態の水タンク内のチエンコンベアにおけるプーリーユニットの脱着装置及びその脱着方法を説明する。
【００５９】
図１及び図２には、本願実施形態の脱着装置が採用されるチエンコンベア２付きの水タンク１を示しているが、このチエンコンベア２付きの水タンク１は、例えば発電用の石炭焚ボイラの火炉で燃焼させた高温のクリンカーを順次冷却して外部に搬送するためのものである。
【００６０】
火炉からのクリンカー排出用のシュート１０の下端部は、水タンク１内に貯留される水Ｗの水面下に差し込んでおり、該シュート１０の下端部から火炉側に空気が侵入しないようにしている。尚、水タンク１内の水Ｗは、高温クリンカーによって加熱されてかなりの高温（例えば６０℃以上）の熱水となっており、この熱水に直接手を触れることはできない。
【００６１】
水タンク１の本体１１の底板１２には、一方に昇り傾斜した傾斜面部１２ａを有している。タンク本体１１の左右各側板１３，１３の外面には、それぞれ外付け側板１４，１４が取付けられていて、タンク本体１１の側板１３と外付け側板１４とで水タンク１の側壁１５を構成している。
【００６２】
この水タンク１は、かなりの容積を有しており、チエンコンベア２が停止していてもシュート１０から排出されるクリンカーをかなりの量（例えば２時間程度の排出量）だけ一時的に貯留し得るようになっている。
【００６３】
水タンク１には、水タンク内の底部付近と水タンク外に跨がってチエンコンベア２が張設されている。このチエンコンベア２は、スクレーパ式のものが採用されている。即ち、このチエンコンベア２は、左右のチエン２１，２１間に走行方向に所定間隔をもって多数のスクレーパ２２，２２・・を取付け、該各チエン２１，２１を水タンク１内の底部付近に設置した水中プーリー３１，３１（図示例では２つ）と水タンク１外に設置した気中プーリー３１Ａ，３１Ａ・・（図示例では４つ）とに巻掛けて構成している。そして、このチエンコンベア２は、モータ２０によって矢印方向（図１）に走行せしめられ、水タンク底板１２上に堆積するクリンカーを順次スクレーパ２２，２２・・で掻き上げて、傾斜面部１２ａの上端部１２ｃから別の搬送コンベア９に移乗させ得るようになっている。
【００６４】
水タンク１内に設置した水中プーリー３１，３１は、図３〜図６に拡大図示するように、プーリー軸３２を軸受ボス３４で支持して一体化したプーリーユニット３の状態で取り扱われる。尚、この水中プーリー３１は、以下の説明では単にプーリーと表現する。
【００６５】
プーリーユニット３の軸受ボス３４には、フランジ３５が形成されている。このフランジ３５には、図示例のものでは周方向に等角度間隔で合計１６個のボルト挿通穴３６，３６・・（図５参照）が形成されている。尚、このボルト挿通穴３６は、少なくとも８個程度は必要であるが、８〜１６個の範囲で適宜に設定できる。
【００６６】
又、軸受ボス３４の外面側中心部には、後述する引抜き棒８の雄ネジ８１を螺合させる中心雌ネジ３７が形成されている。
【００６７】
尚、このプーリーユニット３の大きさは、用途によって適宜のものが採用できるが、この実施形態では、軸方向長さが３００〜４００ｍｍ、最大径（フランジ３５部分）が４００〜５００ｍｍ程度の大きさのものが採用されている。
【００６８】
他方、水タンク１の対向側壁１５，１５には、左右一対の各プーリーユニット３，３のプーリー３１をそれぞれ水タンク内外に挿通させ得るプーリー挿通穴１６，１６が形成されている。このプーリー挿通穴１６は、プーリー３１の外径よりやや大きい内径を有し、タンク本体１１の側板１３と外付け側板１４（両側板で水タンク側壁１５を構成する）とを貫通して形成している。
【００６９】
水タンク側壁１５（外付け側板１４）におけるプーリー挿通穴１６の口縁部外面には、軸受ボス３４側の各ボルト挿通穴３６，３６・・に対応する位置にそれぞれ雌ネジ１７，１７・・（合計１６個）が形成されている。又、水タンク側壁１５（外付け側板１４）の外面には、図４〜図６に示すように、後述する仮設タンク取付け用のボルト４０を螺合させるための雌ネジ１８，１８・・（合計１５個）が形成されている。
【００７０】
そして、各プーリーユニット３，３は、水タンク側壁１５，１５の外面側からプーリー３１部分をプーリー挿通穴１６に挿入し、軸受ボス３４（フランジ３５）の各ボルト挿通穴３６，３６・・を通してそれぞれボルト３０，３０・・を水タンク側壁１５の各雌ネジ１７，１７・・に螺合・緊締して、片持ち状態で取付けられている。又、このプーリーユニット３は、全部のボルト３０，３０・・を取外すと、水タンク側壁１５から外方に離脱させることができるようになっている。尚、チエンコンベア２のチエン２１は、プーリー３１の下面側に係合させている。
【００７１】
本願実施形態のプーリーユニットの脱着装置は、上記のように組付けられたプーリーユニット３を水タンク側壁１５に対して脱着させる際に使用するものであり、次の各部材を有して構成されている。即ち、この実施形態のプーリーユニットの脱着装置は、図２、図３、図６〜図８に示すように、水タンク側壁１５の外面（プーリーユニット３の軸受ボス３４の外側）を水密的に囲うことができる仮設タンク４と、該仮設タンク４内を前後２室に区画する仕切板５と、プーリーユニット３の軸受ボス３４をボルト３０に替えて仮押えする４本の固定棒６，６・・と、軸受ボス３４のボルト挿通穴３６に挿通してプーリーユニット３を前後移動させるときのガイドとなる４本のガイド棒７，７・・と、プーリーユニット３を前後移動させる操作具となる１本の引抜き棒８とを有して構成されている。尚、固定棒６及びガイド棒７は、他の実施形態では、少なくとも２本づつあればよい。
【００７２】
仮設タンク４には、上方と前方（水タンク側壁１５に対面する側）をそれぞれ開放させた鋼板製のケーシング４１を使用している。即ち、このケーシング４１は、左右側壁と底壁とをＵ字状に連続させ、その後面側を後壁４５で閉塞している。このケーシング４１内には、上方から手を差込むことができ、且つ内部にプーリーユニット３を収容し得る容積を有している。尚、ケーシング４１内の容積は、左右幅がプーリーユニット３の外径（フランジ３５の外径）よりやや大きく、前後幅がプーリーユニット３の前後長さの約１．５倍程度で、高さが取付状態において水タンク１内の水位よりやや高位置になる程度に設定している。
【００７３】
仮設タンク４（ケーシング４１）の前面部には、Ｕ字状で外向きのフランジ４２が形成されている。このフランジ４２には、水タンク側壁１５の各雌ネジ１８，１８・・（１５個）に対応する位置にそれぞれボルト挿通穴４２ａ，４２ａ・・が形成されている。そして、この仮設タンク４は、その前面開口で水タンク側壁１５に取付けているプーリーユニット３の軸受ボス３４を囲い、ケーシング４１のフランジ４２の各ボルト挿通穴４２ａ，４２ａ・・（１５個）を通して各ボルト４０，４０・・を水タンク側壁１５側の各雌ネジ１８，１８・・に螺合・緊締させることで、水タンク側壁１５の前面に取付けることができる。尚、ケーシング４１のフランジ４２と水タンク側壁１５との間には、パッキンを介在させて水密保持させる。
【００７４】
仮設タンク４（ケーシング４１）には、その前後中央位置より前側において、仕切板５を差込むための凸周溝４３を形成している。この凸周溝４３内には、図７に拡大図示するように、そこに差込まれる仕切板５との水密性を保持させるためのシール材４４を取付けている。
【００７５】
仮設タンク４（ケーシング４１）の後壁４５には、４本の固定棒６と、４本のガイド棒７と、１本の引抜き棒８とをそれぞれ挿通させるための合計９つのガイド筒４６Ａ，６４Ｂ，４６Ｃが形成されている。この各ガイド筒４６Ａ，６４Ｂ，４６Ｃは、それぞれ例えば５０〜１００ｍｍ程度の長さを有し、後壁４５の外面からそれぞれ水平方向外方に突出する状態で溶接されている。尚、この各ガイド筒４６Ａ，６４Ｂ，４６Ｃは、ケーシング４１内に開口している。
【００７６】
４つの固定棒用ガイド筒４６Ａ，４６Ａ・・と４つのガイド棒用ガイド筒４６Ｂ，４６Ｂ・・とは、仮設タンク４を水タンク側壁１５の外面に取付けた状態で、水タンク側壁１５側の軸受ボス締着用の各雌ネジ１７，１７・・の何れかに対応するように位置させている。この実施形態では、４つの固定棒用ガイド筒４６Ａ，４６Ａ・・は、周方向に角度９０°間隔をもって上下・左右位置に設けられており、他方、４つのガイド棒用ガイド筒４６Ｂ，４６Ｂ・・は、周方向に角度９０°間隔をもってそれぞれ各固定棒用ガイド筒４６Ａ，４６Ａの中間位置に設けられている。又、引抜き棒用ガイド筒４６Ｃは、仮設タンク４を水タンク側壁１５の外面に取付けた状態で、軸受ボス３４の中心雌ネジ３７に対応する位置に設けられている。
【００７７】
仕切板５は、鋼板製で例えば３ｍｍ程度の厚さを有している。そして、この仕切板５は、仮設タンク４の凸周溝４３に対して上方から抜き差し自在に差込むことができ、その差込み状態では、図７及び図１６〜図１９に示すように仕切板５がシール材４４に接触して仮設タンク４内を水密的に前後２室（図１６〜図１９の符号４Ａ，４Ｂ）に区画し得るようになっている。
【００７８】
仮設タンク４（ケーシング４１）の底部には、バルブ４９によって開閉される水抜き穴４８が設けられている。この水抜き穴４８は、この実施形態では、仕切板５によって区画される仮設タンク４内の後室４Ｂ側にのみ設けているが、他の実施形態では該仕切板５によって区画される仮設タンク４内の前室４Ａ側の底部にも設けることができる。
【００７９】
各固定棒６，６・・は、図３及び図８に示すように、先端部（右端部）に軸受ボス締着用のボルト３０に代えて水タンク側壁１５側の雌ネジ１７に螺合可能な雄ネジ６１を形成し、且つ先端部の近傍位置に軸受ボス３４のフランジ３５を押え得る押え部６３を有している。又、この各固定棒６，６・・の基端部（左端部）には、回動工具（スパナ）を係止させる工具係止部６２を形成している。そして、この各固定棒６，６・・は、それぞれ固定棒用ガイド筒４６Ａ，４６Ａ・・に挿通させた状態で、仮設タンク４の外側から工具係止部６２を操作して先端部の雄ネジ６１を軸受ボス３４のボルト挿通穴３６を通して水タンク側壁１５側の雌ネジ１７に螺合・緊締させることにより、押え部６３で軸受ボス３４のフランジ３５を強固に押え得るようになっている（図１１参照）。
【００８０】
各ガイド棒７，７・・は、図３及び図８に示すように、先端部（右端部）に軸受ボス締着用のボルト３０に代えて水タンク側壁１５側の雌ネジ１７に螺合可能な雄ネジ７１を形成し、基端部（左端部）に回動工具（スパナ）を係止させる工具係止部７２を形成している。そして、この各ガイド棒７，７・・は、それぞれガイド棒用ガイド筒４６Ｂ，４６Ｂ・・に挿通させた状態で、仮設タンク４の外側から工具係止部７２を操作して先端部の雄ネジ７１を軸受ボス３４のボルト挿通穴３６を通して水タンク側壁１５側の雌ネジ１７に螺合させ得るようになっている。
【００８１】
引抜き棒８は、図３及び図８に示すように、先端部（右端部）に軸受ボス３４の中心雌ネジ３７に螺合可能な雄ネジ８１を形成し、基端部（左端部）に回動工具（スパナ）を係止させる工具係止部８２を形成している。そして、この引抜き棒８は、引抜き棒用ガイド筒４６Ｃに挿通させた状態で、仮設タンク４の外側から工具係止部８２を操作して先端部の雄ネジ８１を軸受ボス３４の中心雌ネジ３７に螺合させ得るようになっている。
【００８２】
尚、この実施形態では、上記固定棒６及びガイド棒７は、それぞれ４本づつ使用しているが、他の実施形態では、少なくとも２つづつあればよく、その場合、固定棒用ガイド筒４６Ａ及びガイド棒用ガイド筒４６Ｂは、固定棒６及びガイド棒７の使用本数に合わせる。
【００８３】
この実施形態のプーリーユニットの脱着装置は、水タンク１内に設置されているチエンコンベア２のプーリー３１が損傷したときに、該プーリー３１を軸受ボス３４ごと（プーリーユニット３の状態で）取り替えるために使用するものであり、該プーリーユニット３を次の手順で脱着させる。以下、このプーリーユニットの脱着方法を図９〜図２０を併用して説明する。尚、プーリーユニット３の取り替え前は、図４に示すように軸受ボス３４を合計１６本のボルト３０，３０・・で固定している。
【００８４】
まず、第１工程として、軸受ボス３４を締着している合計１６本のボルト３０，３０・・のうち、図９に示すように周方向に１つおきの合計８本のボルトを外す。このボルトを外した部分には、軸受ボス３４のフランジ３５部分にボルト挿通穴３６，３６・・が開口している。この状態では、残ったボルト３０，３０・・で軸受ボス３４のフランジ３５をプーリー挿通穴１６の口縁に対して水密保持させている。尚、このボルト取外しは、取り敢えず４本の固定棒６，６・・を連結させるための４つだけでもよい。
【００８５】
次に、第２工程として、図１０に示すように水タンク側壁１５の外面における軸受ボス３４の外側を仮設タンク４で囲う。尚、仮設タンク４の取付けの前に、４本（図１０では２本しか表示していない）の固定棒６，６・・を各固定棒用ガイド筒４６Ａ，４６Ａ・・に挿通させておく。仮設タンク４は、そのフランジ４２部分を水タンク側壁１５の外面に対してボルト４０，４０・・（合計１５本）で取付けられるが、仮設タンク４のフランジ４２前面と水タンク側壁１５外面との間にはパッキン（図示していない）を介設して水密状態を維持させる。
【００８６】
次に、第３工程として、図１１に示すように４本（図１１では２本しか表示していない）の固定棒６，６・・を仮設タンク４の各固定棒用ガイド筒４６Ａ，４６Ａ・・に通した状態で、固定棒先端部の雄ネジ６１を軸受ボス３４の対応する各ボルト挿通穴３６に通して水タンク側壁１５の雌ネジ１７に螺合・緊締させて、押え部６３で軸受ボス３４を水タンク側壁１５の外面に押し付ける。
【００８７】
次に、第４工程として、図１２に示すように仮設タンク４内から軸受ボス３４を締着している残りの全ボルト３０を取外す。このとき、軸受ボス３４は、各固定棒６の押え部６３で水タンク側壁１５外面に押し付けられており、ボルト取外し作業中にプーリー挿通穴１６からの水漏れは起こらない。
【００８８】
次に、第５工程として、図１２に示すように４本（図１２では２本しか表示していない）の各ガイド棒７，７・・を仮設タンク４の後壁４５の外面からガイド棒用ガイド筒４６Ｂ，４６Ｂ・・に通し、続いて図１３に示すように各ガイド棒先端部の雄ネジ７１を軸受ボス３４のそれぞれ所定のボルト挿通穴３６に通して水タンク側壁１５の雌ネジ１７に螺合させる。
【００８９】
尚、各固定棒６，６・・の設置作業（第３工程）が終えた後、ボルト取外し作業（第４工程）と各ガイド棒７，７・・の設置作業（第５工程）とは、順序が逆になってもよいが、ガイド棒７を設置する前にボルト３０を取外す方がボルト取外し作業がし易い。
【００９０】
次に、第６工程として、図１２に示すように仮設タンク４の外側から引抜き棒用ガイド筒４６Ｃを通して引抜き棒８を差込み、図１３に示すように該引抜き棒８の雄ネジ８１を軸受ボス３４の中心雌ネジ３７に螺合して、該引抜き棒８で仮設タンク４の外側からプーリーユニット３をガイド棒７に沿って前後移動させ得るようにする。
【００９１】
尚、各固定棒６と各固定棒用ガイド筒４６Ａ、各ガイド棒７と各ガイド棒用ガイド筒４６Ｂ、引抜き棒８と引抜き棒用ガイド筒４６Ｃは、それぞれシール材４７（図７、図８）により、水密状態に維持されている。
【００９２】
次に、第７工程として、図１４に示すように仮設タンク４の外側から各固定棒６，６・・の雄ネジ６１を螺解して該各固定棒６，６・・を後退させる。このとき、軸受ボス３４に対する締付力はすべて解除される。又、このとき、チエン押下げ具Ａ（図１４）でチエンコンベア２のチエン２１を下方に押下げると、該チエン２１がプーリー３１から外れて、プーリーユニット３全体を各ガイド棒７，７・・に沿って後方移動させ得るようになる。
【００９３】
次に、第８工程として、図１５に示すように引抜き棒８を仮設タンク後壁４５の外方に引き、プーリーユニット３を各ガイド棒７，７に沿って後退させる。この状態では、水タンク側壁１５のプーリー挿通穴１６が開放され、水タンク１内の水Ｗ（熱水）がプーリー挿通穴１６から流出するが、その流出水は仮設タンク４内に貯留される。このとき、仮設タンク４内に流入する水位は、水タンク１内の水位と同じになり、該仮設タンク４から溢れ出ることはない。尚、仮設タンク４内に水タンク１側の水が流入すると、水タンク１内の水量が一時的に減少するが、水タンク１内には常時冷却水が供給されているので、水タンク１内の水位はごく短時間でオーバーフロー水位に達する。
【００９４】
次に、第９工程として、図１６に示すようにプーリーユニット３を引抜き棒８で支持した状態で、仮設タンク４の外側から各ガイド棒７，７の雄ネジを螺解して、各ガイド棒７，７を軸受ボス３４のボルト挿通穴３６，３６から抜き外す。このとき、プーリーユニット３は、吊下げ具Ｂで仮設タンク４の上方から吊下げ支持しておく。この吊下げ具Ｂには、軸受ボス３４のボルト挿通穴３６に挿入される横向きのピンＣを有している。尚、このピンＣは、複数（例えば２つ）のボルト挿通穴３６，３６にそれぞれ挿入させるべく複数個設けると、吊下げ具Ｂでプーリーユニット３を吊下げたとき（図１７、図１８参照）に、該プーリーユニット３の姿勢が安定し、後述するように吊下げ状態のプーリーユニットの各ボルト挿通穴３６にガイド棒７を挿通させるときの操作が容易になる。
【００９５】
次に、第１０工程として、図１６に示すように仮設タンク４内の凸周溝４３部分に仕切板５を挿入して、仮設タンク４内を前室４Ａと後室４Ｂとに区画する。この状態では、仕切板５の前面側が凸周溝４３内のシール材４４に接合して、仮設タンク４内の前室４Ａと後室４Ｂとを水密的に区画している。
【００９６】
次に、第１１工程として、図１６に示すように仮設タンク後室４Ｂの水抜き穴４８のバルブ４９を開いて、該仮設タンク後室４Ｂ内の水を符号Ｗ１で示すように下方に排出する。このとき、仮設タンク前室４Ａ内（及び水タンク１内）の水Ｗは、仮設タンク４内が仕切板５で仕切られているので、仮設タンク後室４Ｂ側に流出することがない。そして、仮設タンク後室４Ｂ内が空になると、仮設タンク４の上方から該後室４Ｂ内に収容されているプーリーユニット３の状態が目視できる。尚、仮設タンク後室４Ｂ内の水を排出した後は、バルブ４９を閉じておく。
【００９７】
次に、第１２工程として、図１７に示すように吊下げ具Ｂでプーリーユニット３を吊下げ支持した状態で、引抜き棒８を螺解操作して、引抜き棒８の雄ネジ８１を軸受ボス３４の中心雌ネジ３７から外す。すると、プーリーユニット３が吊下げ具Ｂで支持されているのみで自由状態となり、該吊下げ具Ｂを符号Ｄ（図１７）で示すように上方に持ち上げて、プーリーユニット３を仮設タンク４外に取り出す。尚、取り出した旧プーリーユニット３は、簡単に修理可能であればその場で修理して再使用するが、修理に時間がかかったりあるいは修理不能であれば、新品のプーリーユニット３に取り替える。
【００９８】
次に、第１３工程として、図１８に示すように吊下げ具Ｂで新プーリーユニット３を吊下げた状態で、該新プーリーユニット３を符号Ｅで示すように仮設タンク後室４Ｂ内に収容し、且つ軸受ボス３４の中心雌ネジ３７を引抜き棒用ガイド筒４６Ｃに対面させる。この場合、仮設タンク後室４Ｂ内が空であるので、プーリーユニット３の位置合わせを目視しながら行える。
【００９９】
次に、第１４工程として、図１９に示すように軸受ボス３４の中心雌ネジ３７に引抜き棒８の雄ネジ８１を螺合させるとともに、各ガイド棒７，７（合計４本）を軸受ボス３４のそれぞれ所定のボルト挿通穴３６，３６に挿通させる。尚、この状態では、プーリーユニット３を吊下げ具Ｂで支持しておく。
【０１００】
次に、第１５工程として、図１９の状態から、仕切板５を仮設タンク４の上方に抜き外し、図２０に示すように吊下げ具Ｂでプーリーユニット３を支持した状態で、各ガイド棒７，７を進入させ、該各ガイド棒７，７の雄ネジ７１，７１を水タンク側壁１５側の所定の雌ネジ１７，１７に螺合させる。尚、仕切板５を仮設タンク上方に抜き外したときには、水タンク１内の水Ｗが仮設タンク４内の全域に流入し、仮設タンク４の上方から各ガイド棒７，７の先端部（雄ネジ７１）の状態が見えにくくなるが、各ガイド棒７，７はそれぞれガイド棒用ガイド筒４６Ｂ，４６Ｂでガイドされているので、ガイド棒先端部の雄ネジ７１の前方に所定の雌ネジ１７が対面している。従って、各ガイド棒７，７をそのまま前進させると、自動的に先端部の雄ネジ７１が水タンク側壁１５側の所定の雌ネジ１７に合致するようになり、仮設タンク４内が見えない状態であっても、各ガイド棒７，７の雄ネジ７１を所定の雌ネジ１７に対して仮設タンク後壁４５の外側から容易に螺合させ得る。
【０１０１】
そして、上記した旧プーリーユニット３の取外し操作とは逆順序（図１５→図１４→図１３→図１２→図１１→図１０）で各作業を行って、新プーリーユニット３をプーリー挿通穴１６の口縁部に取付ける。尚、新プーリーユニット３を取付ける場合には、図１５→図１４→図１３の状態までは、仮設タンク４内に水Ｗが入っている。
【０１０２】
即ち、第１６工程として、図２０の状態から吊下げ具Ｂを外し（図１５の状態となる）、第１７工程として、図１４に示すように引抜き棒８を前方に押し込んでプーリーユニット３のプーリー３１をプーリー挿通穴１６を通して水タンク１内に臨ませ（このときチエンコンベア２のチエン２１はチエン押下げ具Ａで押下げておく）、第１８工程として、図１３に示すように各固定棒６，６を前方に押し込み、且つ固定棒先端部の雄ネジ６１を所定の雌ネジ１７に螺合・緊締させて押え部６３で軸受ボス３４のフランジ３５を押え（軸受ボス３４のフランジ３５とプーリー挿通穴１６の口縁部とが水密保持される）、第１９工程として、水抜き穴４８のバルブ４９を開いて仮設タンク４内の水Ｗを排出し、第２０工程として、図１２に示すように各ガイド棒７，７及び引抜き棒８の各雄ネジ７１，７１，８１を螺解してそれらの棒を後退させ、第２１工程として、図１１に示すように軸受ボス３４における空の（各固定棒６，６で塞いでいる以外の）各ボルト挿通穴３６，３６・・にそれぞれボルト３０，３０・・を通して各雌ネジ１７に螺合・緊締させ、第２２工程として、図１０に示すように各固定棒６，６を螺解して後退させ、第２３工程として、固定棒取外し部分の各ボルト挿通穴３６，３６にそれぞれボルト３０を通して雌ネジ１７に螺合・緊締させ、最後に、仮設タンク取付け用の各ボルト４０を外して仮設タンク４を水タンク側壁１５の前面から取外す。尚、仮設タンク４の取外し時期は、上記第１９工程で仮設タンク４内の水を排出した以降であれば、各棒６〜８が各ガイド穴に挿通されている状態であっても、仮設タンク４を各棒６〜８に沿ってその基端側（左側）に抜き外すことができる。このように、仮設タンク４を先に抜き外すと、軸受ボス固定用のボルト３０を仮設タンク４が無い状態で螺合させることができる。
【０１０３】
このように、上記実施形態のプーリーユニットの脱着装置及び脱着方法によれば、プーリーユニット３を取り替える際に、水タンク１内の水Ｗを抜くことなしに行える。従って、プーリーユニット３の取り替え作業が簡単且つ短時間で行えるとともに、石炭焚ボイラを継続運転したままでプーリーユニット３の取り替えが行える。
【０１０４】
又、プーリーユニット３を仮設タンク４内で前後移動させるのに、仮設タンク４外から引抜き棒８で行え、プーリーユニット３をスムーズに且つ簡単に前後移動させることができる。
【０１０５】
さらに、仮設タンク４内を水密的に前後２室４Ａ，４Ｂに仕切る仕切板５を使用しているので、新プーリーユニット３を仮設タンク４内に挿入する際に、仕切板５で区画された空の後室４Ｂ内に収容でき、各ガイド棒７，７を軸受ボスのボルト挿通穴３６，３６に通す作業を空気中で行える。
【図面の簡単な説明】
【図１】本願実施形態のプーリーユニットの脱着装置を使用するためのチエンコンベア付き水タンクの断面図である。
【図２】本願実施形態のプーリーユニットの脱着装置を含む図１のＩＩ−ＩＩ断面相当図である。
【図３】図２の一部拡大図である。
【図４】図３のＩＶ−ＩＶ矢視図である。
【図５】図４の状態からプーリーユニットを分離させた状態の斜視図である。
【図６】図２の一部斜視図である。
【図７】図６のＶＩＩ−ＶＩＩ拡大断面図である。
【図８】図３のＶＩＩＩ部拡大図である。
【図９】図４の状態から８本のボルトを抜き外した状態図である。
【図１０】本願実施形態のプーリーユニット脱着方法の作業初期段階（仮設タンク取付け状態）の断面図である。
【図１１】図１０からの作業状態変化図（固定棒による軸受ボス押え状態図）である。
【図１２】図１１からの作業状態変化図（ボルト取外し状態図）である。
【図１３】図１２からの作業状態変化図（ガイド棒取付け状態図）である。
【図１４】図１３からの作業状態変化図（固定棒取外し状態図）である。
【図１５】図１４からの作業状態変化図（プーリーユニット引出し状態図）である。
【図１６】図１５からの作業状態変化図（仕切板取付け状態図）である。
【図１７】図１６からの作業状態変化図（プーリーユニットの取出し工程図）である。
【図１８】図１７からの作業状態変化図（プーリーユニットの挿入工程図）である。
【図１９】図１８からの作業状態変化図（ガイド棒挿入工程図）である。
【図２０】図１９からの作業状態変化図（仕切板取外し状態図）である。
【符号の説明】
１は水タンク、２はチエンコンベア、３はプーリーユニット、４は仮設タンク、５は仕切板、６は固定棒、７はガイド棒、８は引抜き棒、１５は水タンク側壁、１６はプーリー挿通穴、１７は雌ネジ、２１はチエン、３０はボルト、３１はプーリー、３４は軸受ボス、３５はフランジ、３６はボルト挿通穴、３７は中心雌ネジ、４５は後壁、４６Ａは固定棒用ガイド筒、４６Ｂはガイド棒用ガイド筒、４６Ｃは引抜き棒用ガイド筒、６１は雄ネジ、６３は押え部、７１は雄ネジ、８１は雄ネジである。
【図１】
2004131251.tif 000003
【図２】
2004131251.tif 000004
【図３】
2004131251.tif 000005
【図４】
2004131251.tif 000006
【図５】
2004131251.tif 000007
【図６】
2004131251.tif 000008
【図７】
2004131251.tif 000009
【図８】
2004131251.tif 000010
【図９】
2004131251.tif 000011
【図１０】
2004131251.tif 000012
【図１１】
2004131251.tif 000013
【図１２】
2004131251.tif 000014
【図１３】
2004131251.tif 000015
【図１４】
2004131251.tif 000016
【図１５】
2004131251.tif 000017
【図１６】
2004131251.tif 000018
【図１７】
2004131251.tif 000019
【図１８】
2004131251.tif 000020
【図１９】
2004131251.tif 000021
【図２０】
2004131251.tif 000022